(57)【特許請求の範囲】
【請求項１】
ガス冷却室を形成する容器本体の上部に、焼却炉からの燃焼ガスを流入させるガス流入口を形成するとともに、前記容器本体の下部に、前記容器本体内で水の噴射により冷却された燃焼ガスを空気予熱器に搬送するダクトを開口してなる燃焼ガス冷却設備において、
前記ダクトの端部を前記容器本体の側方から容器本体内に挿入するとともに、挿入部を下方に向けて折曲し、前記ダクトの挿入部の上方に、前記ダクトの上面に付着するダストを除去するダスト除去機構を設けてなることを特徴とする燃焼ガス冷却設備。
【請求項２】
請求項１記載の燃焼ガス冷却設備において、
前記ダクトの開口部の中心を、前記容器本体の中心に位置してなることを特徴とする燃焼ガス冷却設備。
【請求項３】
請求項１または２記載の燃焼ガス冷却設備において、
前記ダスト除去機構は、前記ダクトの挿入部の上方に配置される回転軸と、この回転軸を回転する駆動手段と、前記回転軸に固定され前記ダクトの上面に付着したダストを掻き取る掻取部材とを備えてなることを特徴とする燃焼ガス冷却設備。
【請求項４】
請求項３記載の燃焼ガス冷却設備において、
前記ダクトの上面には、前記回転軸と平行にカバー部材が固定されていることを特徴とする燃焼ガス冷却設備。
【請求項５】
請求項３または４記載の燃焼ガス冷却設備において、
前記掻取部材には、回転軸からの冷却空気が供給される冷却空気流通孔が形成されていることを特徴とする燃焼ガス冷却設備。
【発明の詳細な説明】
【０００１】
【産業上の利用分野】
本発明は、焼却炉で発生した燃焼ガスを冷却するための燃焼ガス冷却設備に関する。
【０００２】
【従来の技術】
一般に、ゴミ処理施設では、ゴミを燃焼するために焼却炉が配置されており、ゴミの燃焼により焼却炉で発生した燃焼ガスは、排ガス処理設備に導かれ処理された後、大気中に放出される。
【０００３】
そして、排ガス処理設備に導かれる燃焼ガスは、排ガス処理設備の機器を保護するために、燃焼ガス冷却設備により予め冷却される。
図６は、従来の別置型の燃焼ガス冷却設備を示すもので、この設備では、ガス冷却室を形成する容器本体１１の上端に、焼却炉からの燃焼ガスを流入させるガス流入口１３が形成されている。
【０００４】
また、容器本体１１の上部には、燃焼ガスに水を噴射する水噴射装置１５が配置されている。
そして、容器本体１１の下部には、容器本体１１内での水の噴射により冷却された燃焼ガスを空気予熱器に搬送するダクト１７が開口されている。
【０００５】
容器本体１１の下方には、燃焼ガスの冷却により発生したダストを搬送するための灰出コンベア１９が配置されている。
この燃焼ガス冷却設備では、焼却炉からの燃焼ガスが、図示しないダクトを介してガス流入口１３から、容器本体１１内に流入され、水噴射装置１５により水を噴射することにより冷却された後、ダクト１７から図示しない空気予熱器に導かれる。
【０００６】
【発明が解決しようとする課題】
しかしながら、従来の燃焼ガス冷却設備では、容器本体１１の下部の側面に開口部２１が形成され、この開口部２１からダクト１７が垂直方向に立ち上がっているため、燃焼ガスの冷却により発生したダストＤが、図の斜線部分に付着し、徐々に堆積固着するという問題があった。
【０００７】
そして、従来、このようにして堆積固着したダストＤは、作業員により引っ掻き棒等を使用して除去されているが、冷却室内には高温の燃焼ガスが流通しているため、焼却炉の運転停止時にしか除去作業をすることができず、この間に、ダストＤの堆積固着が進み、焼却炉の運転停止時にこれ等を全て除去することが困難であった。
【０００８】
また、上述した燃焼ガス冷却設備では、容器本体１１の下部の側面に開口部２１が形成され、この開口部２１からダクト１７が垂直方向に立ち上がっているため、冷却室内において燃焼ガスの偏流によりショートパスが発生し、ショートパスした燃焼ガスに対しては、水分を完全に蒸発させることが困難になるという問題があった。
【０００９】
本発明は、かかる従来の問題を解決するためになされたもので、堆積したダストを確実に除去することができるとともに、冷却室内における燃焼ガスの偏流を解消することができる燃焼ガス冷却設備を提供することを目的とする。
【００１０】
【課題を解決するための手段】
請求項１の燃焼ガス冷却設備は、ガス冷却室を形成する容器本体の上部に、焼却炉からの燃焼ガスを流入させるガス流入口を形成するとともに、前記容器本体の下部に、前記容器本体内で水の噴射により冷却された燃焼ガスを空気予熱器に搬送するダクトを開口してなる燃焼ガス冷却設備において、前記ダクトの端部を前記容器本体の側方から容器本体内に挿入するとともに、挿入部を下方に向けて折曲し、前記ダクトの挿入部の上方に、前記ダクトの上面に付着するダストを除去するダスト除去機構を設けてなるものである。
【００１１】
請求項２の燃焼ガス冷却設備は、請求項１において、前記ダクトの開口部の中心を、前記容器本体の中心に位置してなるものである。
請求項３の燃焼ガス冷却設備は、請求項１または２において、前記ダスト除去機構は、前記ダクトの挿入部の上方に配置される回転軸と、この回転軸を回転する駆動手段と、前記回転軸に固定され前記ダクトの上面に付着したダストを掻き取る掻取部材とを有するものである。
【００１２】
請求項４の燃焼ガス冷却設備は、請求項３において、前記ダクトの上面には、前記回転軸と平行にカバー部材が固定されているものである。
請求項５の燃焼ガス冷却設備は、請求項３または４において、前記掻取部材には、回転軸からの冷却空気が供給される冷却空気流通孔が形成されているものである。
【００１３】
【作用】
請求項１の燃焼ガス冷却設備では、容器本体の側方から容器本体内に挿入されるダクトの挿入部の上面にダストが付着するが、この付着したダストが、ダスト除去機構により除去される。
【００１４】
請求項２の燃焼ガス冷却設備では、ダクトの開口部の中心を、容器本体の中心に位置したので、燃焼ガスの偏流が低減される。
請求項３の燃焼ガス冷却設備では、回転軸を駆動手段により回転すると掻取部材が回転し、掻取部材によりダクトの上面に付着したダストが掻き取られる。
【００１５】
請求項４の燃焼ガス冷却設備では、カバー部材の上面にダストが堆積するが、回転軸と平行にカバー部材が固定されているため、回転軸の回転により回転する掻取部材によりダストが確実に除去される。
【００１６】
請求項５の燃焼ガス冷却設備では、冷却空気流通孔に冷却空気を供給することにより、掻取部材が高温になることが防止される。
【００１７】
【実施例】
以下、本発明の実施例を図面に基づいて説明する。
図１ないし図３は、本発明の燃焼ガス冷却設備の一実施例を示しており、図において符号３１は、ガス冷却室を形成する容器本体を示している。
【００１８】
この容器本体３１の上端には、図示しないダクトを介して焼却炉から搬送される燃焼ガスを流入させるガス流入口３３が形成されている。
容器本体３１の上部には、燃焼ガスに水を噴射する水噴射装置３５が配置されている。
【００１９】
容器本体３１の下部は、下方に向けて先細りとなる円錐台部３７とされている。
円錐台部３７の下端には、燃焼ガスの冷却により発生するダストを排出するためのダスト排出口３９が形成されている。
【００２０】
このダスト排出口３９の下方には、ダストを搬送するための図示しない灰出コンベアが配置されている。
符号４１は、容器本体３１内で水の噴射により冷却された燃焼ガスを空気予熱器４３に搬送するダクトを示している。
【００２１】
このダクト４１の端部は、容器本体３１の側方から容器本体３１内に水平に挿入されている。
そして、挿入部４５が下方に向けて略円弧状に折曲され、下方に向けて開口部４７が開口されている。
【００２２】
この開口部４７の中心は、容器本体３１の中心に位置されている。
ダクト４１の挿入部４５の上方には、ダクト４１の上面に付着するダストを除去するダスト除去機構４８が設けられている。
【００２３】
この実施例では、ダスト除去機構４８は、ダクト４１の挿入部４５の上方に水平配置される回転軸４９を有している。
回転軸４９は、所定間隔を置いて平行に３本配置されており、容器本体３１に形成される貫通穴５１から外部に導出されている。
【００２４】
貫通穴５１は、シール部材５３により気密にシールされている。
容器本体３１と空気予熱器４３との間に位置するダクト４１の外側には、ダクト４１を囲んで取付支柱５５が配置されている。
【００２５】
取付支柱５５は、ダクト４１の軸長方向に所定間隔を置いて一対配置されている。
これ等の取付支柱５５は、垂直支柱５７に支持される水平支柱５９の上面に固定されている。
【００２６】
取付支柱５５の上部は、図３に示すように、くの字状をしており、中央部６１と傾斜部６３とに、それぞれ軸受部６５が固定されている。
軸受部６５には、図１に示すように、駆動軸６７が支持され、この駆動軸６７の一端にカップリング６９を介して回転軸４９が連結されている。
【００２７】
駆動軸６７の他端には、スプロケット７１が固定されている。
取付支柱５５には、図３に示すように、ブラケット７３が固定されており、このブラケット７３にモータ７９が固定されている。
【００２８】
モータ７９には、スプロケット８１が固定されており、このスプロケット８１に巻装されるチェーン８３が、駆動軸６７のスプロケット７１に巻装されている。
【００２９】
回転軸４９には、ダクト４１の上面に付着したダストを掻き取る円筒状の掻取部材８５が固定されている。
この掻取部材８５は、図４および図５に示すように、ブラケット８７，８９を介して回転軸４９に連結されている。
【００３０】
ブラケット８７とブラケット８９とは、フランジ部９１，９３においてボルト９５により連結されている。
掻取部材８５の両端は、偏平状に潰され掻取部９７とされている。
【００３１】
回転軸４９，ブラケット８７，８９および掻取部材８５には、中空状のパイプ材が使用され、内部に冷却空気流通孔９９，１０１，１０３，１０５が形成されている。
【００３２】
また、回転軸４９の先端は、図示しない盲栓により密閉されている。
従って、回転軸４９に図示しないファンにより冷却空気を供給すると、冷却空気が回転軸４９，ブラケット８７，８９を介して掻取部材８５に流入し、掻取部９７から外部に流出する。
【００３３】
この実施例では、図１に示すように、ダクト４１の上面には、回転軸４９と平行にカバー部材１０７が固定されている。
このカバー部材１０７は取付支柱５５と同様にくの字状に折曲されている。
【００３４】
上述した燃焼ガス冷却設備では、焼却炉３１で発生した、例えば、８００℃〜９５０℃の燃焼ガスが、ガス流入口３３から容器本体３１内に導かれ、水噴射装置３５からの水の噴射により、例えば、３３０℃〜４００℃の温度まで冷却された後、ダクト４１の開口部４７からダクト４１内に流入し、排ガス処理設備の空気予熱器４３に送られる。
【００３５】
そして、上述した燃焼ガス冷却設備では、モータ７９が連続的に、あるいは所定時間をおいて間欠的に駆動され、モータ７９の駆動により、スプロケット８１，７１およびチェーン８３を介して駆動軸６７が回転され、この回転により回転軸４９が回転し、回転軸４９の回転により掻取部材８５が回転し、掻取部材８５によりダストが除去される。
【００３６】
しかして、上述した燃焼ガス冷却設備では、カバー部材１０７の上面に付着したダストを、ダスト除去機構４８により確実に除去することができる。
また、ダクト４１の開口部４７の中心を、容器本体３１の中心に位置したので、冷却室内における燃焼ガスの偏流を確実に解消することができる。
【００３７】
従って、燃焼ガスの偏流によるショートパスが発生することがなくなり、水分を完全に蒸発することが可能になる。
また、上述した燃焼ガス冷却設備では、ダスト除去機構４８を、ダクト４１の挿入部４５の上方に配置される回転軸４９と、この回転軸４９を回転するモータ７９等の駆動機構と、回転軸４９に固定されダクト４１の上面に付着したダストを掻き取る掻取部材８５とにより構成したので、比較的簡易な構成により、ダクト４１の上面に付着したダストを確実に掻き取り除去することができる。
【００３８】
さらに、上述した燃焼ガス冷却設備では、回転軸４９と平行にカバー部材１０７を固定したので、折曲しているダクト４１の挿入部４５の上面にダストが堆積することなく、カバー部材１０７の上面にダストが堆積することになり、掻取部材８５によりダストを確実に除去することができる。
【００３９】
また、上述した燃焼ガス冷却設備では、冷却空気流通孔９９，１０１，１０３，１０５に冷却空気を供給することにより、掻取部材８５および回転軸４９が高温になることが防止されるため、掻取部材８５および回転軸４９の熱劣化を有効に防止できる。
【００４０】
さらに、上述した燃焼ガス冷却設備では、掻取部材８５の両端に偏平状の掻取部９７を設けたので、この掻取部９７がダストに食い込み、堆積したダストを確実に除去することができる。
【００４１】
【発明の効果】
以上述べたように、請求項１の燃焼ガス冷却設備では、ダクトの挿入部の上面に付着したダストを、ダスト除去機構により確実に除去することができる。
【００４２】
請求項２の燃焼ガス冷却設備では、ダクトの開口部の中心を、容器本体の中心に位置したので、冷却室内における燃焼ガスの偏流を確実に解消することができる。
【００４３】
請求項３の燃焼ガス冷却設備では、掻取部材によりダクトの上面に付着したダストを確実に掻き取り除去することができる。
請求項４の燃焼ガス冷却設備では、回転軸と平行にカバー部材を固定したので、折曲しているダクトの挿入部の上面にダストが堆積することなく、カバー部材の上面にダストが堆積することになり、掻取部材によりダストを確実に除去することができる。
【００４４】
請求項５の燃焼ガス冷却設備では、冷却空気流通孔に冷却空気を供給することにより、掻取部材が高温になることが防止されるため、掻取部材の熱劣化を有効に防止できるという利点がある。
【図面の簡単な説明】
【図１】本発明の燃焼ガス冷却設備の一実施例を示す断面図である。
【図２】図１の上面図である。
【図３】図１をＡ方向から見た側面図である。
【図４】図１の掻取部材を示す正面図である。
【図５】図１の掻取部材を示す側面図である。
【図６】従来の別置型の燃焼ガス冷却設備を示す断面図である。
【符号の説明】
３１  容器本体
３３  ガス流入口
４１  ダクト
４５  挿入部
４７  開口部
４８  ダスト除去機構
４９  回転軸
７９  モータ
８５  掻取部材
１０７  カバー部材
【図１】
0003628733.tif 000002
【図２】
0003628733.tif 000003
【図３】
0003628733.tif 000004
【図４】
0003628733.tif 000005
【図５】
0003628733.tif 000006
【図６】
0003628733.tif 000007